(57)【要約】【課題】気泡が入らずに簡単に貼り付け貼り直しができるタッチパネルモニター用保護フィルター・フィルムを提供する。【解決手段】保護フィルター・フィルムの左右又は上下周辺部に両主面に粘着層を有するテープの一方の主面を貼り付け、前記テープの他方の主面の貼着層をタッチパネル表示面の外側部の前記表示面とフラットな平面部に貼り付け前記タッチパネルの前記表示面を覆う前記フィルター・フィルムを固着することを特徴とするタッチパネル用保護フィルター・フィルムの取り付け方法を提供する。【選択図】図２
2015199897.tif 000002
【特許請求の範囲】
【請求項１】
保護フィルター・フィルムの左右又は上下周辺部に両主面に粘着層を有するテープの一方の主面を貼り付け、前記テープの他方の主面の貼着層をタッチパネル表示面の外側部の前記表示面とフラットな平面部に貼り付け前記タッチパネルの前記表示面を覆う前記フィルター・フィルムを固着することを特徴とするタッチパネル用保護フィルター・フィルムの取り付け方法。
【請求項２】
テープの厚みが０．０５ｍｍ〜０．６ｍｍであり、他方の主面の粘着層がシリコン粘着層よりなる請求項１記載のタッチパネル用保護フィルター・フィルムの取り付け方法。
【発明の詳細な説明】
【技術分野】
【０００１】本発明はタッチパネル用保護フィルター・フィルムを気泡を発生させずに容易に貼れるようにし、また繰り返し貼ることもできる、取り付けに関するものである。
【背景技術】
【０００２】タッチパネルモニターでは表面の反射光や指紋が付着して画面が見づらくなる場合がある。又、外部からの衝撃によりモニター表面に傷が生じる場合があるので、その対策として保護フィルター・フィルムが利用されている。その保護フィルムはグラビアコート等の機械によりフィルム裏側全面に貼り直しができるシリコン粘着層をコートしたシリコン全面粘着方式ものが一般的に市販されている。
【先行技術文献】
【特許文献】
【０００３】
【特許文献１】特開２００３−２２０２７
【特許文献２】特開２００９−２７６７４８
【特許文献３】特開２０１２−１４１２５いずれの文献もモニター装置のカバーの取り付けに関するものであるが、タッチパネル用のものではなく、特許文献３は、接着フィルムを用いて気泡の発生を防ぐよう工夫されているがタッチパネルディスプレイ用のものでなく、タッチパネルへのフィルムの取り付け及び動作テストは何ら記されてない。
【発明の概要】
【発明が解決しようとする課題】
【０００４】タッチパネル画面が大きいサイズになるほど繰り返し貼り直すことができる市販のシリコン全面粘着方式の保護フィルター・フィルムでは気泡等が入る可能性が高くなっており、ヘラ等付属の道具を使いホコリ・ゴミのない環境で時間をかけ丁寧に貼らないと気泡が入らずに貼ることができない。
【課題を解決するための手段】
【０００５】本発明は保護フィルター・フィルムの左右又は上下周辺部に、両主面に粘着層を有するテープの一方の主面を貼り付け、前記テープの他方の主面の貼着層を前記タッチパネル表示面の外側部のフラットな平面部に貼り付け、前記タッチパネルに前記表示面を覆う前記フィルター・フィルムを固着することを特徴とするタッチパネル用保護フィルター・フィルムの取り付け方法を提供する。【０００６】本発明は望ましくは、テープの厚みが０．０５ｍｍ〜０．６ｍｍであり他方の主面の粘着層がシリコン粘着層よりなるタッチパネル用保護フィルター・フィルムの取り付け方法を提供する。
【発明の効果】
【０００７】本発明によれば、タッチパネル面にタッチパネル用保護フィルター・フィルムを貼るに際し、ヘラ等を使用せず誰が貼っても気泡が入らずに容易に短時間で貼る事ができ、貼り付け失敗による貼り直し作業も容易にでき、タッチパネル動作に影響もない。
【図面の簡単な説明】
【０００８】
【図１】保護フィルター・フィルム裏面にシリコン粘着テープを貼り付けるタッチパネル表示面の左右外側フラット部に合うよう貼り付けてある状態の平面図である。
【図２】タブレットＰＣ本体の４カメラ部を有するタッチパネル表示面の外側部の前記表示面とフラットな平面部６に図１の保護フィルター・フィルムを貼り付けた状態の平面図である。
【図３】タッチパネル表示面５上に空間（空気層）７ができている状態を示す、図２を横から見た状態の正面図である。
【図４】前記図１保護フィルター・フィルム裏面にシリコン粘着テープを貼り付けるタッチパネル表示面外側フラット部に合うよう左右２辺に加え上下２辺にも貼った保護フィルター・フィルムをタブレットＰＣ本体の４カメラ部を有するタッチパネル表示面の外側部の前記表示面とフラットな平面部６上に貼り付けた平面図である。
【図５】シリコン粘着テープの断面構成図で８はＳｉ粘着層９はポリエステルフィルム１０はアクリル粘着層である。
【発明を実施するための形態】
【０００９】以下、本発明の実施形態を図１〜図５に基づいて説明する。
【００１０】図１に示すように、保護フィルター・フィルム１のタッチパネルに貼り付ける面（裏面）の左右周辺部（タッチパネル表示面の外側部の前記表示面とフラットな平面部６上）に厚さ０．０５ｍｍ〜０．６ｍｍ、幅０．３ｍｍ〜２０ｍｍシリコン粘着テープ２を保護フィルター・フィルム１のタテ辺長の５０％以上の長さにして貼り付ける。尚テープ２の両主面には剥離紙（図示せず）が形成されている。
【００１１】テープ２は図５に示すごとく、例えば厚さ０．１ｍｍのポリエステルフィルム９の一方の主面にＳｉ（シリコン）粘着層８、他方の主面に透明なアクリル粘着層１０を形成したもので、層８、１０は極めて薄く全体の厚みはほぼフィルム９の厚みである。このテープ２の層８，１０の表面には剥離紙（図示せず）が形成されている。図１は、層１０側の剥離紙を剥がして、層１０にてテープ２を保護フィルター・フィルム１の周辺部に貼り付けた状態である。
【００１２】図２のように図１の保護フィルター・フィルム１のシリコン粘着テープ２のＳｉ粘着層８上の剥離紙を剥がし、タブレットＰＣ本体のタッチパネル表示面の外側部の前記表示面とフラットな平面部６上にＳｉ粘着層８にて貼り付ける。保護フィルター・フィルム１の大きさは，タッチパネル表示面５より大きくタブレットＰＣ本体３より小さくシリコン粘着テープ２がタッチパネル表示面の外側部の前記表示面とフラットな平面部６上にくるようなサイズにする。
【００１３】以上の方法で保護フィルター・フィルム１をタッチパネル表示面の外側の前記表示面とフラットな平面部６上に取り付けると、図３に示すように、保護フィルター・フィルム１とタッチパネル表示面５の間には０．０５ｍｍ〜０．６ｍｍの空間（空気層）７ができる。この空間（空気層）７により気泡は発生しない。この方法は短時間で実行でき、簡単に貼り付け、貼り直しをくり返し行うこともできる。
【００１４】次に実験データを示す。厚み０．０５ｍｍ〜０．６ｍｍ、幅５ｍｍシリコン粘着テープ２を、０．３ｍｍ厚保護フィルター・フィルム１に貼り付けたものを使用、タッチパネル表示面の外側部の前記表示面とフラットな平面部（前記表示面より左右５ｍｍ外側の位置）にシリコン粘着テープ２にて貼り、タッチパネル動作テストを行った。動作テストは図２のａ・ｂ・ｃ・ｄ・ｅ５点の位置でタッチ・スワイプ・スライド動作を１０回行い全て正常動作したものは○、いずれか一回以上動作しなかったものは×とした。次に示された結果からテープ厚みは０．０５〜０．６ｍｍが望ましいことが判明した。
０．０５ｍｍ○
０．１ｍｍ  ○
０．２ｍｍ  ○
０．３ｍｍ  ○
０．４ｍｍ  ○
０．５ｍｍ  ○
０．６ｍｍ  ○
０．７ｍｍ  ×
【産業上の利用の可能性】
【００１５】本発明はタッチパネル表示面を有する各種電子機器への保護フィルター・フィルムの、貼り付けに用いることができる。
【符号の説明】
【００１６】１保護フィルター・フィルム
２シリコン粘着テープ
３タブレットＰＣ本体
４カメラ
５タッチパネル表示面
６タッチパネル表示面の外側部の前記表示面とフラットな平面部
７空間（空気層）
８シリコン粘着層
９ポリエステルフィルム
１０アクリル粘着層
【図１】
2015199897.tif 000003
【図２】
2015199897.tif 000004
【図３】
2015199897.tif 000005
【図４】
2015199897.tif 000006
【図５】
2015199897.tif 000007